(57)【特許請求の範囲】
【請求項１】
ケーブルの先端に取り付けられるプラグが差し込まれるレセプタクルであって、
前記レセプタクルは、
前記レセプタクルからの前記プラグの抜き差しを妨げる位置と、前記プラグの抜き差しが可能な位置に位置することが可能な保護ブラケットと、
前記保護ブラケットが前記プラグの抜き差しを妨げる位置にあることを検出するスイッチと、
前記スイッチが、前記保護ブラケットが前記プラグの抜き差しを妨げる位置にあることを検出したときに出力する信号により通電状態となる開閉装置と、
を有し、
前記開閉装置が通電状態になると前記レセプタクルには前記開閉装置を経由して電源から電流が供給されるようになる、
ことを特徴とする保護機構付レセプタクル。
【請求項２】
前記開閉装置の数は１つまたはそれ以上であり、前記レセプタクルの数は前記開閉装置の数より多くしたことを特徴とする請求項１に記載の保護機構付レセプタクル。
【請求項３】
前記保護ブラケットが前記プラグの抜き差しを妨げる位置にあるとき、前記ブラケットの位置を固定するロック装置を設けたことを特徴とする請求項１または２のいずれか１つに記載の保護機構付レセプタクル。
【請求項４】
前記保護ブラケットに前記ロック装置の操作部を設け、前記スイッチは該操作部により前記ロック装置をロックした状態であることを検出することによって、前記保護ブラケットが前記プラグの抜き差しを妨げる位置にあることを検出するものであり、該検出スイッチの検出信号により前記開閉装置は通電状態になるようにしたことを特徴とする請求項３に記載の保護機構付レセプタクル。
【請求項５】
前記スイッチは防水性のスイッチであることを特徴とする請求項１〜４にいずれか１つに記載の保護機構付レセプタクル。
【請求項６】
外部から前記検出スイッチを動作させることを妨げるブラケットを設け、
前記保護ブラケットに連動する連動部材を設け、前記スイッチは前記連動部材の位置を検出するスイッチであり、連動部材の状態を前記スイッチで検出することにより、前記保護ブラケットが前記プラグの抜き差しを妨げる位置にあることを検出するようにしたことを特徴とする請求項１〜３のいずれか１つに記載の保護機構付レセプタクル。
【請求項７】
外部から前記検出スイッチを動作させることを妨げるブラケットを設け、
前記保護ブラケットに連動する連動部材を設け、前記ロック装置は該保護ブラケットが前記プラグの抜き差しを妨げる位置にあるとき前記連動部材をロックすることにより該保護ブラケットをロックするものであり、
前記検出スイッチは、前記連動部材が前記ロック装置によりロックされた状態であることを検出することによって、前記保護ブラケットが前記プラグの抜き差しを妨げる位置にあることを検出するものであることを特徴とする請求項４に記載の保護機構付レセプタクル。
【請求項８】
給電対象に電力を供給するケーブルの先端に取り付けられるプラグと、
請求項１〜７のいずれか１つの保護機構付レセプタクルの組からなる保護機構付レセプタクル・プラグセット。
【発明の詳細な説明】
【技術分野】
【０００１】
本発明は、保護機構付レセプタクルに関する。
【背景技術】
【０００２】
通電状態でレセプタクル（コンセント）に対して抜き差しする際には感電などの事故が起こり得る。このような感電事故を防止するためには、レセプタクルへの電気の供給を遮断した状態でなければ、プラグを抜き差しできない構造にするとよい。  
特許文献１には、感電を防止することを目的としたコンセントおよびカバー付コンセントの技術が開示されている。特許文献２には、盗電を防止するとともに電気自動車および電気機器の両方が利用できる屋外用コンセントの技術が開示されている。特許文献３には、コンセントにプラグが圧着している時にのみ通電するスイッチを組み込んだコンセント等における安全機構の技術が開示されている。
【０００３】
通電中にプラグの抜き差しが不可能なレセプタクルとしてプラグの挿入により操作可能となるスイッチ付きレセプタクルが市販されている。図２０，図２１，図２２，図２３に前記レセプタクルと前記プラグの概略の構成を示す。  
レセプタクル１には回転式スイッチ２と開閉装置５が設けられている。回転式スイッチ２をＯＮ／ＯＦＦの位置に回転させることで、ロッド４，ギヤ３，ロッド６を介して開閉装置５が機械的に動作し、三相電源を供給するケーブル１１から開閉装置５を経由してケーブル１２を介して通電部金具１３への電気の供給と遮断を切り替える。回転式スイッチ２とギヤ３はロッド４により連結されており、両者は同じ位相で回転する。また、ギヤ３に連結されたロッド６により回転式スイッチ２の回転が開閉装置５に伝わる。
【０００４】
プラグ１４がレセプタクル１に差し込まれていない場合（図２０，図２１参照）には、バネ１９により押し出される方向の力を受けているスライド部９がギヤ８の内径部の切り欠き１８に嵌っているため、ギヤ８は回転できず、ギヤ７、ギヤ３、回転式スイッチ２もＯＦＦの位置から回転できない。すなわち、通電部金具１３への通電は遮断される。  
プラグ１４をレセプタクル１に差し込んだ場合（図２２，図２３）は、プラグ１４の先端の突起部１５がスライド部９を押し込み、ギヤ８の切り欠き１８からスライド部９が外れるため、ギヤ８の回転が可能となる。
【０００５】
このとき、回転式スイッチ２をＯＮの位置に回転させると、開閉装置５が動作し、通電部金具１３に電気が供給されると共に、ギヤ８の回転に伴い、ギヤ８上のプラグブロック部１０がプラグ１４の突起部１５を固定する。これによって、プラグ１４をレセプタクル１から抜くことができない。通電部金具１３に供給された電気はプラグ１４の金具１６を介してケーブル１７に伝わり、ケーブル１７を介して図示しない各種機器に電力が供給される。  
この状態から回転式スイッチ２をＯＦＦの位置に回転させると、開閉装置５が動作し、通電部金具１３への通電が遮断されると共に、ギヤ８の回転に伴い、プラグブロック部１０と突起部１５との干渉がなくなり、プラグ１４を引き抜くことができる。
【先行技術文献】
【特許文献】
【０００６】
【特許文献１】特開２０１１−７０９１２号公報
【特許文献２】特開２０１１−８９４７号公報
【特許文献３】特開平９−１９９２３４号公報
【発明の概要】
【発明が解決しようとする課題】
【０００７】
背景技術で説明した特許文献１に開示される技術では、開口部から充電部へ到達できるため、水の浸入や金属棒の挿入などによって感電の危険性がある。特許文献２に開示される技術では、コンセントへの電気の供給をスイッチにより行い、プラグの抜き差しを妨げる筐体内に設置しているが、通電状態でプラグの抜き差しが可能であり、問題である。また、特許文献３に開示される技術では、プッシュオンスイッチを故意に押せば、プラグを挿入しなくても通電状態にすることができる問題がある。
【０００８】
また、上記プラグの挿入により操作可能となるスイッチ付きレセプタクルは図２０〜図２３を用いて説明したように、開閉装置とスイッチを有する機構が内蔵されているため、レセプタクルを設置する際には、開閉装置やスイッチの分の大きなスペースが必要となる。そのため、レセプタクルを設置するスペースを確保することが困難な場合がある。例えば、射出成形機においては、１つの機械に温調器（温度調節装置）、コンベヤ、乾燥機、取出機等、多くの周辺機器が設置される。このため、これらの周辺機器用に開閉装置とスイッチを有するレセプタクルを十分な数設置することはスペース上非常に困難となる。
【０００９】
そこで本発明の目的は、上記従来技術の問題点に鑑み、レセプタクルが、開閉装置とスイッチにより、電気の供給を遮断した状態でなければ、プラグを抜き差しできないようにし、設置スペースの問題を解決することである。
【課題を解決するための手段】
【００１０】
本願の請求項１に係る発明は、ケーブルの先端に取り付けられるプラグが差し込まれるレセプタクルであって、前記レセプタクルは、前記レセプタクルからの前記プラグの抜き差しを妨げる位置と、前記プラグの抜き差しが可能な位置に位置することが可能な保護ブラケットと、前記保護ブラケットが前記プラグの抜き差しを妨げる位置にあることを検出するスイッチと、前記スイッチが、前記保護ブラケットが前記プラグの抜き差しを妨げる位置にあることを検出したときに出力する信号により通電状態となる開閉装置と、を有し、前記開閉装置が通電状態になると前記レセプタクルには前記開閉装置を経由して電源から電流が供給されるようになる、ことを特徴とする保護機構付レセプタクルである。  
請求項２に係る発明は、前記開閉装置の数は１つまたはそれ以上であり、前記レセプタクルの数は前記開閉装置の数より多くしたことを特徴とする請求項１に記載の保護機構付レセプタクルである。  
請求項３に係る発明は、前記保護ブラケットが前記プラグの抜き差しを妨げる位置にあるとき、前記ブラケットの位置を固定するロック装置を設けたことを特徴とする請求項１または２のいずれか１つに記載の保護機構付レセプタクルである。  
請求項４に係る発明は、前記保護ブラケットに前記ロック装置の操作部を設け、前記スイッチは該操作部により前記ロック装置をロックした状態であることを検出することによって、前記保護ブラケットが前記プラグの抜き差しを妨げる位置にあることを検出するものであり、該検出スイッチの検出信号により前記開閉装置は通電状態になるようにしたことを特徴とする請求項３に記載の保護機構付レセプタクルである。
【００１１】
請求項５に係る発明は、前記スイッチは防水性のスイッチであることを特徴とする請求項１〜４にいずれか１つに記載の保護機構付レセプタクルである。  
請求項６に係る発明は、外部から前記検出スイッチを動作させることを妨げるブラケットを設け、前記保護ブラケットに連動する連動部材を設け、前記スイッチは前記連動部材の位置を検出するスイッチであり、連動部材の状態を前記スイッチで検出することにより、前記保護ブラケットが前記プラグの抜き差しを妨げる位置にあることを検出するようにしたことを特徴とする請求項１〜３のいずれか１つに記載の保護機構付レセプタクルである。  
請求項７に係る発明は、外部から前記検出スイッチを動作させることを妨げるブラケットを設け、前記保護ブラケットに連動する連動部材を設け、前記ロック装置は該保護ブラケットが前記プラグの抜き差しを妨げる位置にあるとき前記連動部材をロックすることにより該保護ブラケットをロックするものであり、前記検出スイッチは、前記連動部材が前記ロック装置によりロックされた状態であることを検出することによって、前記保護ブラケットが前記プラグの抜き差しを妨げる位置にあることを検出するものであることを特徴とする請求項４に記載の保護機構付レセプタクルである。  
請求項８に係る発明は、給電対象に電力を供給するケーブルの先端に取り付けられるプラグと、請求項１〜７のいずれか１つの保護機構付レセプタクルの組からなる保護機構付レセプタクル・プラグセットである。
【発明の効果】
【００１２】
本発明により、請求項１では、レセプタクルが、開閉装置とスイッチにより、電気の供給を遮断した状態でなければ、プラグを抜き差しできないようにすることで、開閉装置とレセプタクルを別置できるため、設置スペースの問題を解決できる。さらに、請求項２では、レセプタクルの数より少ない数の開閉装置しか使用しないため、その分設置スペースを削減できる。
【図面の簡単な説明】
【００１３】
【図１】本発明の実施形態である第１の構造の保護装置および第１の構造の保護ブラケットを備えたレセプタクルを説明する図である。
【図２】図１に示すレセプタクルにプラグを差し込んで固定した状態を説明する図である。
【図３】図２に示すレセプタクルにプラグを差し込んで固定した状態からプラグを可動状態にしたことを説明する図である。
【図４】図１のＤ−Ｄ断面図である。
【図５】図４をＨ方向に見た図である。
【図６】制御装置を有する保護装置の動作を説明する図である。
【図７】制御装置を有しない保護装置の動作を説明する図である。
【図８】複数の開閉装置を設けた実施形態を説明する図である。
【図９】本発明の実施形態に用いられる第２の構造の保護装置の断面図である。
【図１０】図９をＩ方向に見た図である。
【図１１】図９，図１０に示される第２の構造の保護装置のカムの動作を説明する図である。
【図１２】本発明の実施形態に用いられる第３の構造の保護装置の正面図である。
【図１３】図１２のＪ−Ｊ断面図である。
【図１４】本発明の実施形態に用いられる第２の構造の保護ブラケットを説明する図である。
【図１５】図１４のＥ−Ｅ断面図である。
【図１６】本発明の実施形態に用いられる第３の構造の保護ブラケットを説明する図である。
【図１７】図１６をＧ方向に見た図である。
【図１８】本発明の第４の構造の保護ブラケットを説明する図である。
【図１９】図１８をＦ方向に見た図である。
【図２０】従来技術であるレセプタクルとプラグの組み合わせで、プラグをレセプタクルに挿入する前の状態を説明する図である。
【図２１】図２０のＡ−Ａ断面図である。
【図２２】図２０の挿入前の状態からプラグ挿入後の状態を説明する図である。
【図２３】図２２のＢ−Ｂ断面図である。
【発明を実施するための形態】
【００１４】
以下、本発明の実施形態を図面と共に説明する。
本発明の実施形態では、プラグの抜き差しを規制する保護ブラケットと、レセプタクルとは独立した開閉装置と、保護ブラケットが抜き差しを妨げる位置にあるときに、開閉装置の制御回路に信号が流れ、開閉装置が閉じるようにするスイッチを設けることにより、設置スペースの問題を解決している。  
図１，図２，図３を用いて本発明の実施形態を説明する。図１は、本発明の実施形態である第１の構造の保護装置および第１の構造の保護ブラケットを備えたレセプタクルを説明する図である。図２は図１に示すレセプタクルにプラグを差し込んで固定した状態を説明する図である。図３は図２に示すレセプタクルにプラグを差し込んで固定した状態からプラグを可動状態にしたことを説明する図である。なお、図２，図３は、図１のＣ−Ｃ断面でレセプタクル３３Ｂ，プラグ３９Ｂ方向を見た図である。
【００１５】
図１に示されるように、レセプタクル３３Ａ，３３Ｂは、その端部がスクリュー（ねじ）３４を用いてプレート２１に固定されている。レセプタクル３３Ａ，３３Ｂとも同様であるので、レセプタクル３３Ｂを例として説明する。レセプタクル３３Ｂには回転軸３７Ｂ（図２参照）を中心に回転可能なレセプタクルカバー３６Ｂが設けられている。レセプタクル３３Ｂにプラグ３９Ｂが差し込まれていない場合、レセプタクルカバー３６Ｂは、回転軸３７Ｂを中心に回動し、プラグ３９Ｂを挿入するレセプタクル３３Ｂの挿入口を覆い、該挿入口を保護する。なお、符号３６Ａ1，３６Ｂ1は、レセプタクル３３Ａ，３３Ｂの型番などを印刷したシールをレセプタクルカバー３６Ａ，３６Ｂに貼るためのスペースを表す。  
図２に示されるように、レセプタクル３３Ａ，３３Ｂは保護機構を備えている。前記保護機構は保護ブラケット２３と保護装置２０を含む。保護装置２０は、開閉装置４３と開閉装置４３をオン・オフするスイッチ２６を含んで構成される。レセプタクル３３Ａ，３３Ｂは、遮断器４２，開閉装置４３を経由して電源に接続される。開閉装置４３を開閉制御する制御回路は図示していない。
【００１６】
保護ブラケット２３は、プラグ３９Ａ，３９Ｂのレセプタクル３３Ａ，３３Ｂに対する不用意な抜き差しを防止するための部材である。保護ブラケット２３は、ベース２２にヒンジ２４，２４を用いて組み付けられる。保護ブラケット２３は、ヒンジ２４，２４の回転軸３５，３５を回動中心として所定角度範囲で回動可能である。ヒンジ２４，２４には、市場に出回っている種々のものを用いることができる。なお、ヒンジ２４，２４の替わりにネジ止めによる固定でもよいが、作業性の観点からすればトルクヒンジが望ましい。トルクヒンジは任意の角度を維持することができるヒンジであり、ヒンジ２４，２４としてトルクヒンジを用いることにより、保護ブラケット２３が振動することを防止できるし、保護ブラケット２３のロックし忘れしても保護ブラケット２３が不意に動作することを防止できる。なお、レセプタクル３３Ａとレセプタクル３３Ｂが図示されているが、２つのレセプタクルに限定されず、１つもしくは３つ以上のレセプタクルとしてもよい。他の実施形態も同様である。
【００１７】
保護ブラケット２３が図２の位置（つまり、レセプタクル３３Ｂへのプラグ３９Ｂの接続方向と平行な姿勢）にある場合、レセプタクルカバー３６Ｂはその外側面が保護ブラケット２３と干渉し、紙面上，反時計回り方向に回転できない。したがって、レセプタクル３３Ｂからプラグ３９Ｂを引き抜けないし、レセプタクル３３Ｂにプラグ３９Ｂを挿入することもできない。一方、保護ブラケット２３が図３の位置にある場合（つまり、レセプタクル３３Ｂへのプラグの接続方向と平行ではない姿勢）、レセプタクルカバー３６Ｂを回転軸３７回りに回転させることもできる。したがって、プラグ３９Ｂを引き抜くことができるし、プラグ３９Ｂを挿入することもできる。
【００１８】
レセプタクルカバー３６Ｂは、紙面上で時計回り方向に保護ブラケット２３から押され、あるいは、レセプタクルカバー３６Ｂ自身が紙面上で時計回り方向のトルクが付与される構成であるから、図２に示されるように、ひとたび、プラグ３９Ｂがレセプタクル３３Ｂに挿入されると、レセプタクルカバー３６Ｂに設けられている突起部３８Ｂと、プラグ３３Ｂに設けられている突起部４０Ｂとが干渉し、プラグ３９Ｂを引き抜くことができない。そのため、プラグ３９Ｂを引き抜くには、保護ブラケット２３を紙面上で反時計回り方向に手で引っ張るなどにより回動し、レセプタクルカバー３６Ｂの先端部を手で引っ張るなどにより、レセプタクルカバー３６Ｂを、回転軸３７回りに紙面上で反時計回り方向に回転させなければならない。
【００１９】
次に、保護ブラケット２３がプラグ３９Ａ，３９Ｂの抜き差しを妨げる位置にあるときに、開閉装置４３の制御回路に信号が流れ、開閉装置が閉じるようにするスイッチについて図４，図５を用いて説明する。図４は図１のＤ−Ｄ断面図であり、図５は図４をＨ方向に見た図である。  
ベース２２には、スイッチブラケット２５を介してスイッチ２６が取り付けられている。保護ブラケット２３がプラグ３９Ａ，３９Ｂの抜き差し（抜き挿し）を妨げる状態にある時（保護ブラケット２３が図２に示される姿勢の状態にある時）、スイッチ先端部５９が保護ブラケット２３の内側面に当接するによって、スイッチ先端部５９がスイッチ２６の内部方向に押し込まれ、スイッチ２６がＯＮする。これによって、ケーブル６４，６５を通して開閉装置４３を制御する制御装置６３を含む制御回路に信号が流れ、開閉装置４３が閉じる。そうすると、主電源から供給される電気が遮断器４２から開閉装置４３、ケーブル４４Ａ，４４Ｂを経由してレセプタクル３３Ａ，３３Ｂへ供給される。なお、図４に示されるように、制御装置６３を制御回路に組み込むことにより、保護ブラケット２３の状態がプラグ３９Ａ，３９Ｂの抜き差しを防止する位置であっても、レセプタクル３３Ａ，３３Ｂへの電気を遮断することができる。なお、制御装置６３を含む制御回路と含まない制御回路について図６，図７を用いて後述して説明する。
【００２０】
図５に示されるように、プラグ３９Ａ，３９Ｂの抜き差しを妨げる位置に保護ブラケット２３を移動させる場合、クッション２８により保護ブラケット２３はプラグ３９Ａ，３９Ｂの抜き差しを妨げる位置で止まる。スイッチブラケット２５にはシリンダ錠受け６０が組み付けられており、カム部６２がシリンダ錠受け６０と係合するまでシリンダ錠３０の回転部６１を回転させることによって、保護ブラケット２３が回転しないように固定される。  
図４に示されるように、スイッチ２６に配線されたケーブル６４，６５は、ベース２２に固定されたコードロック３２を通り、プレート２１内の開閉装置４３及び制御装置６３に配線される。ベース２２とプレート２１の間はシール材５８でシールされており、防水されている。したがって、プレート２１に穴５７を加工し、保護装置２０と保護ブラケット２３が取り付けられたベース２２をスクリュー３１でもってプレート２１に取り付けることで、プラグ３９Ａ，３９Ｂを抜き差しする際には必ずレセプタクル３３Ａ，３３Ｂへの通電を遮断することができる。  
なお、保護装置２０を構成する一つの要素であるスイッチブラケット２５に水がかかった場合、スイッチ２６が誤動作し、プラグ３９Ａ，３９Ｂの抜き差しの際に通電する恐れがある。その場合、スイッチ２６を防水性のものにすることで、保護装置２０に防水性を付加することができる。
【００２１】
ここで、開閉装置４３の開閉を制御する制御回路について図７，図６を用いて説明する。図６は制御装置を有する保護装置の動作を説明する図である。図７は制御装置を有しない保護装置の動作を説明する図である。三相交流の主電源は遮断器４２、開閉装置４３、経由してレセプタクル３３Ａと３３Ｂに電気的接続されている。遮断器４２は主電源のオン・オフを大元で行う装置であり本発明に関係しないので説明を省略する。開閉装置４３はスイッチ２６を含む制御回路により開閉制御される。  
図６に示されるように制御回路に制御装置６３を含むものと図７に示されるように制御装置６３を含まないようにすることもできる。制御装置６３は、図示しない工作機械などを制御する上位の制御装置からアラーム信号を受けると、制御回路に流れる信号をオフとし、レセプタクル３３Ａおよびレセプタクル３３Ｂへの電気の供給を遮断する。前述したように、保護ブラケット２３の状態がプラグ３９Ａ，３９Ｂの抜き差しを防止する位置であっても、レセプタクル３３Ａ，３３Ｂへの電気を遮断することができ、機器の保安性と安全性が向上する。  
図６，図７では複数のレセプタクルに対して１つの開閉装置を設ける構造になっているが、図８に示すように複数の開閉装置を設けてもよい。特に少なくとも１つの開閉装置に複数のレセプタクルが電気的接続される場合、開閉装置が少ない分、設置スペース削減が期待できる。図８では開閉装置４３がレセプタクル３３Ａと３３Ｂに電気的接続されており、開閉装置４３Ａがレセプタクル３３Ｃと３３Ｄと電気的接続されている。開閉装置４３、４３Ａはスイッチ２６を含む制御回路により開閉制御される。
【００２２】
次に、スイッチ２６の損傷を防止する構成を図９，図１０，図１１を用いて説明する。図９は本発明の実施形態に用いられる第２の構造の保護装置の断面図である。図１０は図９をＩ方向に見た図である。  
図４，図５を用いて説明した保護ブラケット２３の固定方法では、保護ブラケット２３の内側面がスイッチ先端部５９に直接衝突する構造であるため、保護ブラケット２３を強く閉めた場合、衝撃がスイッチ２６に直接伝わってしまいスイッチ２６の損傷につながる恐れがある。  
そこで、スイッチ２６のオンとオフの切り替えを、シリンダ錠３０のカム部６２にて駆動する第２の構造の保護装置とする（図９，図１０，図１１）。この実施形態では、保護ブラケット２３の内側面が直接スイッチ先端部５９に接触しない。したがって、保護ブラケット２３を強く閉めたとしても、スイッチ先端部５９が可動範囲を超えて押し込まれることも、直接衝撃が加わることもない。
【００２３】
保護ブラケット２３を閉じる方向に回転させ、クッション２８により保護ブラケット２３がプラグ３３Ａ，３３Ｂの抜き差しを妨げる位置となった後、シリンダ錠３０の回転部６１を回転させると、ガイド６８に沿ってカム部６２はスイッチブラケット６６の穴６７を通り、スイッチブラケット６６とカム部６２により保護ブラケット２３は固定される。
【００２４】
また、それと同時に、カム部６２はスイッチ先端部５９を押し込み、レセプタクル３３Ａ，３３Ｂに電気が供給される。穴６７によりカム部６２の高さ方向の位置が制限されるため、可能動作範囲を超えてスイッチ先端部５９が押し込まれることを防止できる。  
保護ブラケット２３がプラグの抜き差しを妨げる状態でない場合、シリンダ錠３０の回転部６１を回転させても、スイッチ先端部５９を押し込めないため、レセプタクル３３Ａ，３３Ｂに電気は供給されない。スイッチ先端部５９は、スイッチブラケット６６の穴６７により動作範囲が制限されるとともに、保護ブラケット２３を閉めた際の衝撃から保護される。
【００２５】
図１２は本発明の実施形態に用いられる第３の構造の保護装置の正面図であり、図１３は図１２のＪ−Ｊ断面図である。図９，図１０に示される第２の構造の保護装置では、穴６７より物を挿入しスイッチ２６を動作させられる可能性が残る。そこでこの実施形態では、スイッチ２６へ干渉できない構造を次に示す。保護ブラケット６９はロッド７０に固定されており、保護ブラケット６９とロッド７０とは同じ位相で回転する。ロッド７０にはカム７２が固定されており、ロッド７０と同じ位相で回転する。  
一方、ブラケット７１にはスイッチブラケット７７を介してスイッチ７６が取り付けられており、ブラケット７１は外部からスイッチ７６を動作させることを妨げている。ブラケット７１にはシリンダ錠７３が取り付けられており、シリンダ錠の回転部７４はシリンダ錠７３に取り付けられたカム７５と同じ位相で回転する。保護ブラケット６９がプラグ３９Ａ，３９Ｂの抜き差しを妨げる位置にある場合、カム７５はカム７２と干渉しないため回転可能となる。シリンダ錠の回転部７４を反時計回りに９０度回転させるとカム７５がスイッチ７６を押し込み、レセプタクルに電気が供給される。
【００２６】
スイッチ７６が動作するカム７５の位置では、カム７２とカム７５が干渉して保護ブラケット６９は動かすことができない。シリンダ錠の回転部７４を回転させ、元に位置に戻すと、途中、スイッチ７６が戻り、レセプタクル３３Ａ，３３Ｂへの電気の供給が遮断される。シリンダ錠の回転部をさらに戻すと、カム７２とカム７５が干渉しなくなり、保護ブラケット６９は回転可能となる。  
ロッド７０を通すブラケット７１の穴をシール材８２でシールすることで、本保護装置の防水性が得られる。本構造では、カム７２とカム７５をインターロックしているが、これらを独立させ、カム７２でスイッチ７６を動作させ監視し、シリンダ錠７３とカム７５で保護ブラケット６９を固定する構造でもよい。
【００２７】
請求項３のロック装置に対応するのはこの実施形態ではシリンダ錠３０であるが、保護ブラケットを固定できればファスナー、ラッチ錠、コインロック、カムロック、ハンドルロック等でもよい。開閉装置として、コンタクタ、リレー等を用いることもできる。
【００２８】
本発明において用いられる保護ブラケットは、図１，図２，図３を用いて説明した保護ブラケット２３の構成に限定されない。これから、他の保護ブラケットの態様について説明する。第１の構造の保護ブラケットは、プラグ３９Ａ，３９Ｂの保持構造（レセプタクルカバー３６Ａ，３６Ｂ）の動作を制限する構造の保護ブラケット２３（図２，図３を参照）であり、第２，第３の構造の保護ブラケットは、プラグ３９Ａ，３９Ｂが引き抜けないようプラグ３９Ａ，３９Ｂの動作を制限する構造の保護ブラケット４６、５５（図１５，図１４，図１６，図１７を参照）であり、第４の構造の保護ブラケットは、プラグの回転及び保持を妨げる構造の保護ブラケット５２（図１８，図１９を参照）である。
【００２９】
図１４は本発明の実施形態に用いられる第２の構造の保護ブラケットを説明する図である。図１５は図１４のＥ−Ｅ断面図である。保護ブラケット４６は、プラグ３９Ａ，３９Ｂのレセプタクル３３Ａ，３３Ｂに対する不用意な抜き差しを防止するための部材である。保護ブラケット４６は、略Ｌ字形形状をなしており、その一端部は、ヒンジ４７，４７がスクリュー（ねじ）により固定されている。また、その他端部は、レセプタクル３３Ａ，３３Ｂにプラグ３９Ａ，３９Ｂを差し込んだときに、プラグ３９Ａ，３９Ｂの側面と干渉しないように、２つの半円形の切り抜きが設けられている。
【００３０】
保護ブラケット４６は、ベース２２にヒンジ４７，４７を用いて組み付けられ、回転軸４８，４８を回転中心として所定角度範囲で回動可能である。ヒンジ４７，４７には、市場に出回っている種々のものを用いることができる。ヒンジ４７，４７の替わりにネジ止めによる固定でもよいが、作業性の観点からすればトルクヒンジを用いることが望ましい。トルクヒンジは任意の角度を維持することができるヒンジであり、ヒンジ４７，４７としてトルクヒンジを用いる。  
図１４に示されるように、レセプタクル３３Ｂにプラグ３９Ｂを差し込むと、プラグ３９Ｂの突起部４０Ｂとレセプタクルカバー３６Ｂの突起部３８Ｂとが係合する。レセプタクル３３Ｂにプラグ３９Ｂを差し込んだ後、保護ブラケット４６をその回転軸４８を中心として紙面上で反時計回りに回動させ、保護ブラケット４６によってプラグ３９Ｂが抜けないようにする。ヒンジ４７，４７としてトルクヒンジを用いることにより、ヒンジ４７，４７は図１４に示される状態で姿勢を維持することができる。
【００３１】
図１６は、本発明の実施形態に用いられる第３の構造の保護ブラケットを説明する図である。図１７は、図１６をＧ方向から見た図である。第３の構造の保護ブラケット５５は、第２の構造の保護ブラケット４６と異なり、プラグ５０Ａ，Ｂの上側に配置する形態である。図１６，図１７に示されるように、プラグ５０Ａ，５０Ｂは、図２，図３等に示されるようなレセプタクルカバー３６Ａ，３６Ｂが取り付けられていない。このため、第３の構造の保護ブラケット５５をプラグ５０Ａ，５０Ｂの上側に配置することができる。  
保護ブラケット５５は、プラグ５０Ａ，５０Ｂのレセプタクル４９Ａ，４９Ｂに対する不用意な抜き差しを防止するための部材である。保護ブラケット５５は、断面が略Ｌ字形形状をなしており、その一端部は、ヒンジ５３，５３がスクリュー（ねじ）により固定されている。また、その他端部は、レセプタクル４９Ａ，４９Ｂにプラグ５０Ａ，５０Ｂを差し込んだときに、ケーブル５１Ａ，５１Ｂの側面と干渉しないように、細長の２つの半円形の切り抜きが設けられている。
【００３２】
保護ブラケット５５は、ベース２２にヒンジ５３，５３を用いて組み付けられ、回転軸５４，５４を回転中心として所定角度範囲で回動可能である。ヒンジ５３，５３には、市場に出回っている種々のものを用いることができる。ヒンジ５３，５３の替わりにネジ止めによる固定でもよいが、作業性の観点からすればトルクヒンジを用いることが望ましい。トルクヒンジは任意の角度を維持することができるヒンジであり、ヒンジ５３，５３としてトルクヒンジを用いる。  
図１７に示されるように、レセプタクル４９Ａ，４９Ｂにプラグ５０Ａ，５０Ｂを差し込むと、保護ブラケット５５をその回転軸５４を中心として紙面上で時計回りに回動させ、保護ブラケット５５によってプラグ５０Ａ，５０Ｂが抜けないようにする。ヒンジ５３，５３としてトルクヒンジを用いることにより、ヒンジ５３，５３は図１４に示される状態で姿勢を維持することができる。
【００３３】
図１８は、本発明の第４の構造の保護ブラケットを説明する図である。図１９は、図１８をＦ方向から見た図である。第４の構造の保護ブラケット５２は、プラグ５０Ａ，５０Ｂの回転および動作を妨げる構造の保護ブラケットとする。  
保護ブラケット５２は、プラグ５０Ａ，５０Ｂのレセプタクル４９Ａ，４９Ｂに対する不用意な抜き差しを防止するための部材である。保護ブラケット５２は、略箱型形状をなしており、上側面端部には、ヒンジ５３，５３がスクリュー（ねじ）により固定されている。また、プラグ５０Ａ，５０Ｂを差し込む面に対向する保護ブラケット５２の側面は、レセプタクル４９Ａ，４９Ｂにプラグ５０Ａ，５０Ｂを差し込んだときに、ケーブル５１Ａ，５１Ｂの側面と干渉しないように、細長の２つの半円形の切り抜きが設けられている。  
保護ブラケット５２は、ベース２２にヒンジ５３，５３を用いて組み付けられ、回転軸５４，５４を回転中心として所定角度範囲で回動可能である。ヒンジ５３，５３には、市場に出回っている種々のものを用いることができる。ヒンジ５３，５３の替わりにネジ止めによる固定でもよいが、作業性の観点からすればトルクヒンジを用いることが望ましい。トルクヒンジは任意の角度を維持することができるヒンジであり、ヒンジ５３，５３としてトルクヒンジを用いる。
【００３４】
図１９に示されるように、レセプタクル４９Ａ，４９Ｂにプラグ５０Ａ，５０Ｂを差し込むと、レセプタクル４９Ｂにプラグ５０Ａ，５０Ｂを差し込んだ後、保護ブラケット５２をその回転軸５４を中心として紙面上で時計回りに回動させ、保護ブラケット５２によってプラグ５０Ａ，５０Ｂが抜けないようにする。ヒンジ５３，５３としてトルクヒンジを用いることにより、ヒンジ５３，５３は図１４に示される状態で姿勢を維持することができる。
【符号の説明】
【００３５】
１  レセプタクル
２  回転式スイッチ
３  ギヤ
４  ロッド
５  開閉装置
６  ロッド
７  ギヤ
８  ギヤ
９  スライド部
１０  プラグロック部
１１  ケーブル
１２  ケーブル
１３  通電部金具
１４  プラグ
１５  突起部
１６  金具
１７  ケーブル
１８  切り欠き
１９  バネ
２０  保護装置
２１  プレート  
２２  ベース
２３  保護ブラケット
２４  ヒンジ
２５  スイッチブラケット
２６  スイッチ
２７  スクリュー
２８  クッション
２９  スイッチカバー
３０  シリンダ錠
３１  スクリュー
３２  コードロック
３３Ａ，３３Ｂ，３３Ｃ，３３Ｄ  レセプタクル
３４  スクリュー
３５  ヒンジの回転軸
３６  レセプタクルカバー
３７  回転軸
３８  突起部
３９Ａ，３９Ｂ  プラグ
４０  突起部
４１  パッキン
４２，４２Ａ  遮断器
４３，４３Ａ  開閉装置
４４Ａ，４４Ｂ  ケーブル
４５Ａ，４５Ｂ  ケーブル接続口
４６  保護ブラケット
４７  ヒンジ
４８  回転軸
４９  レセプタクル
５０Ａ，５０Ｂ  プラグ
５１Ａ，５１Ｂ  ケーブル
５２  保護ブラケット
５３  ヒンジ
５４  回転軸
５５  保護ブラケット
５６  スクリュー
５７  穴
５８  シール材
５９  スイッチ先端部
６０  シリンダ錠受け
６１  回転部
６２  カム部
６３  制御装置
６４  ケーブル
６５  ケーブル
６６  スイッチブラケット
６７  穴
６８  ガイド
６９  保護ブラケット
７０  ロッド
７１  ブラケット
７２  カム
７３  シリンダ錠
７４  回転部
７５  カム
７６  スイッチ
７７  スイッチブラケット
７８  ケーブル
７９  穴
８０  スクリュー
８１  シール材
８２  シール材
【図１】
0005192573.tif 000002
【図２】
0005192573.tif 000003
【図３】
0005192573.tif 000004
【図４】
0005192573.tif 000005
【図５】
0005192573.tif 000006
【図６】
0005192573.tif 000007
【図７】
0005192573.tif 000008
【図８】
0005192573.tif 000009
【図９】
0005192573.tif 000010
【図１０】
0005192573.tif 000011
【図１１】
0005192573.tif 000012
【図１２】
0005192573.tif 000013
【図１３】
0005192573.tif 000014
【図１４】
0005192573.tif 000015
【図１５】
0005192573.tif 000016
【図１６】
0005192573.tif 000017
【図１７】
0005192573.tif 000018
【図１８】
0005192573.tif 000019
【図１９】
0005192573.tif 000020
【図２０】
0005192573.tif 000021
【図２１】
0005192573.tif 000022
【図２２】
0005192573.tif 000023
【図２３】
0005192573.tif 000024